(57)【要約】【課題】襖構造を用いて物を安定して支持することができる襖用物品支持具を提供する。【解決手段】襖６と、襖６の前後厚さ方向に並んだ複数の鴨居溝２，２を下面に有する鴨居３と、前後厚さ方向に並んだ複数の敷居溝４，４を上面に有する敷居５とを備え、襖６の上下を鴨居溝２と敷居溝４に着脱自在に嵌め込むと共に、襖６を鴨居溝２と敷居溝４に該襖６の左右幅方向スライド可能に設ける襖構造７に用いる襖用物品支持具１である。襖用物品支持具１は、鴨居溝２と敷居溝４に上下を着脱自在に嵌め込む本体11と、本体11に設けられ該本体11の前方に突設する物品支持部12とを備えるから、鴨居溝２と敷居溝４に上下を嵌め込むことにより本体11をセットすることができ、本体11に設けた物品支持部12により物品を支持して使用することができる。【選択図】図３
0003194066.tif 000002
【実用新案登録請求の範囲】
【請求項１】
襖と、前記襖の前後厚さ方向に並んだ複数の鴨居溝を下面に有する鴨居と、前記前後厚さ方向に並んだ複数の敷居溝を上面に有する敷居とを備え、前記襖の上下を前記鴨居溝と前記敷居溝に着脱自在に嵌め込むと共に、前記襖を前記鴨居溝と前記敷居溝に該襖の左右幅方向スライド可能に設ける襖構造に用いる襖用物品支持具であって、前記鴨居溝と前記敷居溝に上下を着脱自在に嵌め込む本体と、前記本体に設けられ該本体の前方に突設する物品支持部とを備えることを特徴とする襖用物品支持具。
【請求項２】
前記本体が金属製からなることを特徴とする請求項１記載の襖用物品支持具。
【請求項３】
前記本体は、前記鴨居溝にスライド可能に嵌合する上桟部と、前記敷居溝にスライド可能に嵌合する下桟部と、前記上桟部と下桟部とを連結する左，右縦桟部と、前記上，下桟部及び前記左，右縦桟部の間に設けられた開口部とを備えることを特徴とする請求項１又は２記載の襖用物品支持具。
【請求項４】
前記鴨居溝と前記敷居溝に着脱自在に嵌め込んだ状態で前記本体の後面は、同一の前記鴨居溝と前記敷居溝に嵌め込んだ前記襖の後面と同一位置か前方に位置することを特徴とする請求項１〜３のいずれか１項に記載の襖用物品支持具。
【請求項５】
前記本体の幅が前記襖の幅より狭いことを特徴とする請求項１〜４のいずれか１項に記載の襖用物品支持具。
【請求項６】
前記物品支持部は、前記本体の前方に離れて配置する掛け部を有し、前記掛け部の幅が前記本体の幅より広いことを特徴とする請求項１〜５のいずれか１項に記載の襖用物品支持具。
【請求項７】
前記本体に前記物品支持部を上下に間隔を置いて複数設け、
前記物品支持部は、前記本体に基端部を回動自在に連結した左右の腕部と、前記左右の腕部の先端側に設けた左右方向の掛け部とを有する回動部材を備え、
前記回動部材は前記本体に沿って収納可能であり、
前記回動部材を使用位置に保持する保持手段を備え、
前記保持手段は、前記左右の腕部の中央側に基端を回動可能に連結した左右の保持脚部と、前記左右の保持脚部の先端を連結する係合杆と、前記本体に設けられ前記係合杆が係脱する係合受け部とを備えることを特徴とする請求項３〜６のいずれか１項に記載の襖用物品支持具。
【請求項８】
前記本体に、前記鴨居又は敷居に螺合する螺子式固定部材を挿通する透孔を設けたことを特徴とする請求項１〜７のいずれか１項に記載の襖用物品支持具。
【考案の詳細な説明】
【技術分野】
【０００１】
本考案は、襖構造に物品を支持可能にする襖用物品支持具に関する。
【背景技術】
【０００２】
従来、この種のものとして、鴨居に設けられた下向きの戸溝に対し、一方の挟持片を嵌め入れ、これと対向する挟持片との間で戸溝側壁を挟持し、下向きに設けられた引っ掛け部にハンガーなどを吊り下げるハンガー吊り具（例えば特許文献１）や、係合溝内にスライド自在に係合したスライド戸のサッシ部の前端上縁に引っ掛け係止するサッシ係止部を、スライド戸のガラス面に添設配置する基部の上部に設け、この基部に物を掛け下げるための掛け部を設けた掛具（例えば特許文献２）や、左右のスタンドを吸盤により窓ガラスに取り付け、それら左右のスタンドに物干し竿を保持する窓用物干しスタンド（例えば特許文献３）が提案されている。
【０００３】
上記ハンガー吊り具は戸溝側壁を挟持して取り付けるため、大きな荷重を加えると外れる虞があり、上記掛具ではサッシ部の前端上縁に引っ掛け係止するため、使用場所に制限を受け易く、上記窓用物干しスタンドでは吸盤を用いるため、吸盤が吸着しないものには使用できない。
【０００４】
これに対して、ふすま、障子、板戸、ガラス戸などの建具の縦枠に取り付ける一対のクランプと、このクランプの設けたアームと、一対のアームの先端間に設けたポールとを備え、このポールにハンガーなどを掛装する部屋干しハンガー掛け（例えば特許文献４）が提案されている。
【０００５】
上記部屋干しハンガー掛けは、一対のクランプにより建具に取り付けるものであるから、上記特許文献１〜３のものに比べて大きな荷重に対応できる。
【先行技術文献】
【特許文献】
【０００６】
【特許文献１】特開平９−２６６９９９号公報
【特許文献２】特開２００１−１０６４８４号公報
【特許文献３】特開２０１０−１８７８０３号公報
【特許文献４】特開２０１０−１６２３２０号公報
【考案の開示】
【考案が解決しようとする課題】
【０００７】
しかし、上記部屋干しハンガー掛けでは、ねじなどにより縦枠を締め付けてクランプを取り付ける構造であるから、左右のクランプの高さ位置を合わせてねじ止めする必要があるため、取付作業が煩雑となる。
【０００８】
また、ふすま、障子、板戸などの建具の場合、クランプ自体とねじとが枠体に食い込み、枠体に傷を付ける虞がある。
【０００９】
さらに、この種の建具は枠体の高さ方向中央に荷重が加わるようには設計されていないから、先端側のポールからクランプに大きな荷重が加わると、縦枠に無理な力が加わり、縦枠が変形するなどの虞がある。
【００１０】
しかも、クランプにより枠体の前後を挟むから、クランプの後部が邪魔になって、クランプを取り付けた建具及びこの建具と前後幅方向に隣合って重なり合う建具をスライドすることができなくなるという問題がある。
【００１１】
そこで、本考案は、上記問題点を解決するものであり、開閉の邪魔にならず、襖構造を用いて物を支持することができる襖用物品支持具を提供することを目的とする。
【課題を解決するための手段】
【００１２】
請求項１の考案は、襖と、前記襖の前後厚さ方向に並んだ複数の鴨居溝を下面に有する鴨居と、前記前後厚さ方向に並んだ複数の敷居溝を上面に有する敷居とを備え、前記襖の上下を前記鴨居溝と前記敷居溝に着脱自在に嵌め込むと共に、前記襖を前記鴨居溝と前記敷居溝に該襖の左右幅方向スライド可能に設ける襖構造に用いる襖用物品支持具であって、前記鴨居溝と前記敷居溝に上下を着脱自在に嵌め込む本体と、前記本体に設けられ該本体の前方に突設する物品支持部とを備えることを特徴とする襖用物品支持具。
【００１３】
請求項１の構成によれば、前記鴨居溝と前記敷居溝に上下を嵌め込むことにより本体をセットすることができ、本体に設けた物品支持部により物品を支持して使用することができる。
【００１４】
請求項２の考案は、前記本体が金属製からなることを特徴とする請求項１記載の襖用物品支持具。
【００１５】
請求項２の構成によれば、強度的に優れたものとなり、比較的重いものも支持することができる。
【００１６】
請求項３の考案は、前記本体は、前記鴨居溝にスライド可能に嵌合する上桟部と、前記敷居溝にスライド可能に嵌合する下桟部と、前記上桟部と下桟部とを連結する左，右縦桟部と、前記上，下桟部及び前記左，右縦桟部の間に設けられた開口部とを備えることを特徴とする請求項１又は２記載の襖用物品支持具。
【００１７】
請求項３の構成によれば、開口部により軽量で、且つ上，下桟部及び左，右縦桟部により強度的に優れた本体構造が得られる。また、本体を鴨居溝と敷居溝に嵌め込んだ後、本体を左右幅方向に移動して位置の調整を行うことができる。
【００１８】
請求項４の考案は、前記鴨居溝と前記敷居溝に着脱自在に嵌め込んだ状態で前記本体の後面は、同一の前記敷居溝と前記鴨居溝に嵌め込んだ前記襖の後面と同一位置か前方に位置することを特徴とする請求項１〜３のいずれか１項に記載の襖用物品支持具。
【００１９】
請求項４の構成よれば、物品支持具をセットした状態で、後側の襖を開閉することができる。
【００２０】
請求項５の考案は、前記本体の幅が前記襖の幅より狭いことを特徴とする請求項１〜４のいずれか１項に記載の襖用物品支持具。
【００２１】
請求項５の構成によれば、本体と同一の鴨居溝と敷居溝に嵌め込んだ襖を部分的に開閉することができる。
【００２２】
請求項６の考案は、前記物品支持部は、前記本体の前方に離れて配置する掛け部を有し、前記掛け部の幅が前記本体の幅より広いことを特徴とする請求項１〜５のいずれか１項に記載の襖用物品支持具。
【００２３】
請求項６の構成によれば、本体よりも幅の広い掛け部を用いてハンガーなどを効率よく吊り下げることができる。
【００２４】
請求項７の考案は、前記本体に前記物品支持部を上下に間隔を置いて複数設け、前記物品支持部は、前記本体に基端部を回動自在に連結した左右の腕部と、前記左右の腕部の先端部に設けた左右方向の掛け部とを有する回動部材を備え、前記回動部材は前記本体に沿って収納可能であり、前記回動部材を使用位置に保持する保持手段を備え、前記保持手段は、前記左右の腕部の中央側に基端を回動可能に連結した左右の保持脚部と、前記左右の保持脚部の先端を連結する係合杆と、前記本体に設けられ前記係合杆が係脱する係合受け部とを備えることを特徴とする請求項３〜６のいずれか１項に記載の襖用物品支持具。
【００２５】
請求項７の構成によれば、複数設けた物品支持部により効率よく物品を吊り下げることができ、また、使用時には保持手段により回動部材を使用位置に保持することができ、使用しない時には回動部材を本体に沿って収納することができる。また、保持手段は、回動可能に設けた保持枠と、この保持枠が係脱する係合受け部とを備えるから、保持枠を回動することにより、物品支持部を使用位置に簡便に設定することができる。
【００２６】
請求項８の考案は、前記本体に、前記鴨居又は敷居に螺合する螺子式固定部材を挿通する透孔を設けたことを特徴とする請求項３又は７記載の襖用物品支持具。
【００２７】
請求項８の構成によれば、本体の透孔に螺子式固定部材を挿通し、この螺子式固定部材を鴨居又は敷居に螺合して本体を鴨居又は敷居に固定することもできる。
【考案の効果】
【００２８】
本考案によれば、襖構造を用いて物品を安定して支持することができる襖用物品支持具を提供することができる。
【図面の簡単な説明】
【００２９】
【図１】本考案の実施例１を示す上部の斜視図である。
【図２】同上、下部の斜視図である。
【図３】同上、使用状態の斜視図である。
【図４】同上、要部の一部切欠き断面図である。
【図５】同上、断面図であり、図５（Ａ）は２枚の襖の取付状態、図５（Ｂ）は物品支持具と襖の取付状態を示す。
【図６】本考案の実施例２を示す要部の一部切欠き断面図である。
【図７】同上、使用位置の物品支持部の平面図である。
【考案を実施するための形態】
【００３０】
本考案における好適な実施の形態について、添付図面を参照しながら詳細に説明する。尚、以下に説明する実施の形態は、実用新案登録請求の範囲に記載された本考案の内容を限定するものではない。また、以下に説明される構成の全てが、本考案の必須要件であるとは限らない。各実施例では、従来とは異なる新規な襖用物品支持具を採用することにより、従来にない襖用物品支持具が得られ、その襖用物品支持具について記述する。
【実施例１】
【００３１】
以下、本考案の実施例を添付図面を参照して説明する。図１〜図５は本考案の実施例１を示す。同図に示すように、襖用物品支持具１は、襖６の前後厚さ方向に並んだ複数の鴨居溝２，２を下面に有する鴨居３と、前記襖６の前後厚さ方向に並んだ複数の敷居溝４，４を上面に有する敷居５と、前記鴨居溝２と前記敷居溝４に上下を着脱自在に嵌め込むと共に、前記敷居溝４と前記鴨居溝２の長さ方向（襖６の左右幅方向）にスライド可能に設ける襖６とを備えた襖構造７に用いられる。
【００３２】
また、前記襖６の上部には前記鴨居溝２にスライド可能に嵌合する嵌合部たる凸条部６Ｕが設けられ、襖６の下部には前記敷居溝４にスライド可能に嵌合する嵌合部たる凸条部６Ｓが設けられている。
【００３３】
尚、この例では建具として引き戸である襖６について説明するが、請求項に対応しない場合は、いずれも引き戸である障子、板戸、ガラス戸などの仕切り箇所を開閉する建具とその建具構造に本考案を適用することができる。また、その場合、鴨居溝２が上溝、鴨居３が上横部材、敷居溝４が下溝、敷居５が下横部材である。さらに、上溝及び鴨居溝２が１つ、下溝及び敷居溝４が１つの建具構造にも適用可能である。
【００３４】
前記襖用物品支持具１は、アルミニウム合金などの金属製であって、前記敷居溝４と前記鴨居溝２に上下を着脱自在に嵌め込む枠状の本体11と、前記本体11に設けられ該本体11の前方に突設される物品支持部12とを備える。尚、支持具１は後述するビス19，枢軸24やトレー33以外はアルミニウム合金製とすることができる。
【００３５】
前記本体11は枠体13を備え、この枠体13は、前記鴨居溝２にスライド可能に嵌合する横方向の上桟部14と、前記敷居溝４にスライド可能に嵌合する横方向の下桟部15と、それら上桟部14と下桟部15の両端を連結する左，右縦桟部16，16とを備え、前記上，下桟部14，15と左，右縦桟部16，16との間には開口部17が設けられている。尚、前記上，下桟部14，15同士は平行であり、左，右縦桟部16，16同士は平行である。また、上桟部14及び下桟部15はフラットバーなどからなり、左，右縦桟部16，16は中空な角筒などからなる。
【００３６】
前記物品支持部12は、前記本体11の高さ方向途中で上側と下側に多段に設けられ、この例では２段に設けられている。
【００３７】
以下、物品支持部12の構成について説明する。前記物品支持部12は、縦方向の左，右縦桟部16，16に横方向の横杆部18，18Ａを設け、これら横杆部18，18Ａは上下に間隔を置いて設けられ、前記横杆部18，18Ａの両端の後面を固定手段たるビス19，19により左，右縦桟部16，16の前面に固定している。尚、横杆部18，18Ａの両端は左，右縦桟部16，16の左面16Ｌ，右面16Ｒより内側に位置する。そして、左，右縦桟部16，16の左面16Ｌ，右面16Ｒの間隔が、前記本体11の左右最大幅Ｗである。また、横杆部18，18Ａはフラットバーなどからなる。
【００３８】
また、上の横杆部18の前面に重ね合わせてブラケット20を複数のビス19，19により固定し、前記ブラケット20はフラットバーの両端を屈曲して連結部20Ａ，20Ａを前方に突設している。また、前記ブラケット20は、前記横杆部18と上下方向の幅が略同一であり、左右方向の長さは横杆部18より短く、それら連結部20Ａ，20Ａに回動部材21が回動可能に連結される。
【００３９】
前記回動部材21は、左右の腕部22，22の先端に丸棒などからなる左右方向の吊り下げ部23を設けてなり、前記吊り下げ部23が掛け部である。前記腕部22は、基端部22Ａと先端部22Ｂとを先端側に向かって外側に斜設した中央部22Ｃにより連結している。したがって、左右の腕部22，22の間隔は基端部22Ａより先端部22Ｂが広く、且つ先端部22Ｂ，22Ｂの左右方向の幅は、左，右縦桟部16，16の左面16Ｌ，右面16Ｒの幅Ｗより広く形成され、それら腕部22，22の基端をリベットなどの枢軸24，24により前記連結部20Ａ，20Ａに回動可能に連結している。尚、基端部22Ａは先端部22Ｂより長い。また、左右の基端部22Ａ，22Ａの間隔は前記左右最大幅Ｗより狭く、基端部22Ａ及び基端部22Ａに設けた枢軸24が本体11の左右から食み出すことがない。
【００４０】
前記回動部材21を使用位置である略水平に保持する保持手段26を備える。この保持手段26は、コ字形の保持枠27を備え、この保持枠27は、左右の保持脚部28，28と、これら左右の保持脚部28，28の先端を連結する横方向の係合杆29とからなり、左右の保持脚部28，28の基端を前記基端部22Ａ，22Ａの先端側に枢軸24，24により回動自在に連結している。また、前記係合杆29は丸棒などからなる。尚、左右の保持脚部28，28の基端は、基端部22Ａ，22Ａの左右方向内面に重ね合わされている。また、保持枠27は前記左右最大幅Ｗ内に位置する。
【００４１】
前記下の横杆部18の左右には、上部が開口したフック状の係合受け部30，30が設けられ、これら複数の係合受け部30，30に前記係合杆29が上下方向に係脱する。
【００４２】
そして、図１などに示すように、係合杆29を係合受け部30，30に係合することにより、保持枠27が位置決めされ、保持枠27により回動部材21が横方向で略水平に保持される。この状態で吊り下げ部23にハンガー（図示せず）などを掛けて使用することができる。尚、この場合、吊り下げ部23に荷重が加わると、この荷重が下桟部15から敷居溝４に加わるため、本体11が外れ難くなる。
【００４３】
一方、回動部材21を上方に回すことにより、係合杆29が係合受け部30，30から外れ、図４に示すように、回動部材21と保持枠27を吊り下げ状態で本体11の前面に沿って折り畳むことができる。
【００４４】
また、前記本体11の前記下桟部15には複数の透孔31，31が穿設されており、前記透孔31に螺子式固定手段たる木螺子32を挿通し、この木螺子32を木製敷居５の敷居溝４の底面に螺合することにより、本体11を固定することもできる。尚、図示しないが、上桟部14に前記透孔31を設け、木螺子32により木製鴨居３の鴨居溝２に上桟部14を固定してもよい。
【００４５】
尚、図５に示すように、前記鴨居溝２と前記敷居溝４に着脱自在に嵌め込んだ状態で前記本体11の後面11Ｋは、同一の鴨居溝２と前記敷居溝４に嵌め込んだ襖６の後面６Ｋと同一位置となり、図５中で右側に位置する後側の襖６を開閉することができる。この場合、本体11の枠体13の厚さは嵌合部である凸条部６Ｕ，６Ｓと略等しい。尚、図５において、右側の鴨居溝２と前記敷居溝４に本体11を嵌め込んだ場合は、襖６及び本体11の図５で左側の面が後面６Ｋ，11Ｋとなる。
【００４６】
このように本実施例では、請求項１に対応して、襖６と、襖６の前後厚さ方向に並んだ複数の鴨居溝２，２を下面に有する鴨居３と、前記前後厚さ方向に並んだ複数の敷居溝４，４を上面に有する敷居５とを備え、襖６の上下を鴨居溝２と敷居溝４に着脱自在に嵌め込むと共に、襖６を鴨居溝２と敷居溝４に該襖６の左右幅方向スライド可能に設ける襖構造７に用いる襖用物品支持具１であって、鴨居溝２と敷居溝４に上下を着脱自在に嵌め込む本体11と、本体11に設けられ該本体11の前方に突設する物品支持部12とを備えるから、鴨居溝２と敷居溝４に上下を嵌め込むことにより本体11をセットすることができ、本体11に設けた物品支持部12により物品を支持して使用することができる。
【００４７】
また、このように本実施例では、請求項２に対応して、本体11が金属製からなるから、強度的に優れたものとなり、比較的重いものも支持することができる。
【００４８】
また、このように本実施例では、請求項３に対応して、本体11は、鴨居溝２にスライド可能に嵌合する上桟部14と、敷居溝４にスライド可能に嵌合する下桟部15と、上桟部14と下桟部15とを連結する左，右縦桟部16，16と、上，下桟部14，15及び左，右縦桟部16，16の間に設けられた開口部17とを備えるから、開口部17により軽量で、且つ上，下桟部14，15及び左，右縦桟部16，16により強度的に優れた本体11の構造が得られる。また、本体11を鴨居溝２と敷居溝４に嵌め込んだ後、本体11を左右幅方向に移動して位置の調整を行うことができる。
【００４９】
また、このように本実施例では、請求項４に対応して、鴨居溝２と敷居溝４に着脱自在に嵌め込んだ状態で本体11の後面11Ｋは、同一の鴨居溝２と敷居溝４に嵌め込んだ襖６の後面６Ｋと同一位置か前方に位置するから、襖用物品支持具１をセットした状態で、後側の襖６を開閉することができる。
【００５０】
また、このように本実施例では、請求項５に対応して、本体11の幅Ｗが襖６の幅より狭いから、本体11と同一の鴨居溝２と敷居溝４に嵌め込んだ襖６を部分的に開閉することができる。
【００５１】
また、このように本実施例では、請求項６に対応して、物品支持部12は、本体11の前方に離れて配置する掛け部たる吊り下げ部23を有し、吊り下げ部23の幅が本体11の幅Ｗより広いから、本体11よりも幅の広い吊り下げ部23を用いてハンガーなどを効率よく吊り下げることができる。
【００５２】
また、このように本実施例では、請求項７に対応して、本体11に物品支持部12を上下に間隔を置いて複数設け、物品支持部12は、本体11に基端部22Ａ，22Ａを回動自在に連結した左右の腕部22，22と、左右の腕部22，22の先端部22Ｂに設けた左右方向の吊り下げ部23とを有する回動部材21を備え、回動部材21は本体11に沿って収納可能であり、回動部材21を使用位置に保持する保持手段26を備え、保持手段26は、左右の腕部22，22の中央側に基端を回動可能に連結した左右の保持脚部28，28と、左右の保持脚部28，28の先端を連結する係合杆29と、本体11に設けられ係合杆29が係脱する係合受け部30とを備えるから、複数設けた物品支持部12，12により効率よく物品を吊り下げることができ、また、使用時には保持手段26により回動部材21を使用位置に保持することができ、使用しない時には回動部材21を本体11に沿って収納することができる。また、保持手段26は、腕部22，22に回動可能に設けた保持枠27と、この保持枠27が係脱する係合受け部30とを備えるから、保持枠27を回動することのより、物品支持部12を使用位置に簡便に設定することができる。尚、左右の腕部22，22の中央側とは、腕部22の基端の枢軸24と先端の吊り下げ部23の間である。
【００５３】
また、このように本実施例では、請求項８に対応して、本体11に、鴨居３又は敷居５に螺合する螺子式固定部材たる木螺子32を挿通する透孔31を設けたから、本体11の透孔31に木螺子32を挿通し、この木螺子32を鴨居３又は敷居５に螺合して本体11を鴨居３又は敷居５に固定することもできる。
【００５４】
また、実施例上の効果として、上桟部14と下桟部15との間で、物品支持部12の取り付け箇所に横杆部18，18Ａを設け、これら横杆部18，18Ａにより左，右縦桟部16，16を連結したから、本体11の枠体13の強度を向上することができる。さらに、本体11の枠体13の左右外側に張り出す部分がないから、縦桟部16に当たっても襖６に傷が付いたりすることがない。また、物品支持具１はアルミニウム合金製であるから、軽量なものとなる。さらに、係合受け部30，30を左右に間隔を置いて左右に配置したから、係合杆29を安定して支持することができる。
【００５５】
さらに、実施例上の効果として、建具である襖６と、襖６の前後厚さ方向に並んだ複数の上溝（上嵌合受け部）たる鴨居溝２，２を下面に有する上横部材たる鴨居３と、前記前後厚さ方向に並んだ複数の下溝（下嵌合受け部）たる敷居溝４，４を上面に有する下横部材たる敷居５とを備え、襖６の上下を鴨居溝２と敷居溝４に着脱自在に嵌め込むと共に、襖６を鴨居溝２と敷居溝４に該襖６の左右幅方向スライド可能に設ける建具構造たる襖構造７に用いる襖用物品支持具１であって、鴨居溝２と敷居溝４に上下を着脱自在に嵌め込む本体11と、本体11に設けられ該本体11の前方に突設する物品支持部12とを備えるから、鴨居溝２と敷居溝４に上下を嵌め込むことにより本体11をセットすることができ、本体11に設けた物品支持部12により物品を支持して使用することができる。
【実施例２】
【００５６】
図６及び図７は本発明の実施例２を示し、上記実施例１と同一部分に同一符号を付し、その詳細な説明を省略して詳述する。同図は、物品支持部12に、物品を載置する有底箱型の箱体からなる物品載置部を設けた例を示し、物品載置部であるトレー33や籠体は、左右の腕部22，22間に載置する鍔部34が上部開口35に周設されている。そして、前記トレー33の鍔部34を腕部22，22に載置すると共に、腕部22，22の間にトレー33が保持され、物品支持部12に着脱自在に設けられている。また、トレー33を取り付けた状態で吊り下げ部23を使用することもできる。尚、トレー33を腕部22，22に一体に設けてもよい。
【００５７】
この場合、図７に示すように、中央部22Ｃを外向きで本体11と略平行に形成し、基端部22Ａより先端部22Ｂを長く形成することにより、大きなトレー33を用いることができる。
【００５８】
また、この例では、鴨居溝２と敷居溝４に上下を嵌め込むことにより本体11をセットすることができ、本体11に設けた物品支持部12により物品を支持して使用することができる。
【００５９】
さらに、この例では、物品支持部12には、箱体たるトレー33が着脱自在に設けられているから、トレー33に物品を載置して使用することができ、また、同時に吊り下げ部23に吊り下げて物品を支持することができる。
【００６０】
尚、本考案は、本実施例に限定されるものではなく、本考案の要旨の範囲内で種々の変形実施が可能である。例えば、襖の凸条部は該襖と同一厚さのものでもよい。また、保持手段は実施例のタイプに限定されず、螺子を締めて回動部材を固定するものなど各種タイプのものを用いることができる。さらに、本体の縦桟部を伸縮自在で且つ伸縮位置で高さを固定可能に設けてもよい。また、実施例では、縦長の長方形をなす本体を例示したが、これに限定されず台形などでもよい。
【符号の説明】
【００６１】
１  襖用物品支持具
２  鴨居溝
３  鴨居
４  敷居溝
５  敷居
６  襖
７  襖構造
11  本体
11Ｋ  後面
12  物品支持部
16  縦桟部
17  開口部
21  回動部材
22  腕部
22Ａ  基端部
22Ｂ  先端部
23  吊り下げ部（掛け部）
26  保持手段
32  木螺子（螺子式固定手段）
33  トレー（物品載置部）
【図１】
0003194066.tif 000003
【図２】
0003194066.tif 000004
【図３】
0003194066.tif 000005
【図４】
0003194066.tif 000006
【図５】
0003194066.tif 000007
【図６】
0003194066.tif 000008
【図７】
0003194066.tif 000009